(57)【特許請求の範囲】
【請求項１】
洋上に並列状に浮かぶ複数の浮体と、これらの浮体の上部を相互に連結する連結構造体と、同連結構造体の下方の海中で上記複数の浮体の相互間に水平に架設され同浮体内の動力機構により回転駆動される駆動軸と、上記複数の浮体からそれぞれ下方へ延在する支持部材の相互間に上記駆動軸と平行に架設された従動軸と、上記駆動軸に装着された複数の駆動輪と、同駆動輪と対応するように上記従動軸に装着された複数の従動輪と、上記複数の駆動輪と同駆動輪に対応する上記従動輪との間にそれぞれ掛け回された複数の無端条体と、これらの無端条体の相互間に水平に装着された多数の支持棒からそれぞれ吊り下げられた海洋生物養殖用容器とをそなえ、上記駆動輪の回転駆動により最上部へ到達した上記容器への連絡を行なうための連絡部が上記連結構造体に設けられていることを特徴とする、海洋生物養殖装置。
【請求項２】
請求項１に記載の海洋生物養殖装置において、上記海洋生物養殖用容器に、稚貝を収容する生物区画部と、同稚貝のための飼料を収容する飼料区画部とが設けられていることを特徴とする、海洋生物養殖装置。
【請求項３】
請求項２に記載の海洋生物養殖装置において、上記飼料が海草の粉末と小麦粉との混合物に成長剤としての酵素を添加してブロック状に形成されていることを特徴とする、海洋生物養殖装置。
【発明の詳細な説明】
【０００１】
【発明の属する技術分野】
本発明は、ウニやアワビなどの高価な海洋生物を大規模に養殖するのに適した装置に関する。
【０００２】
【従来の技術】
従来、海洋生物の養殖手段としては海中に網で囲蔽された養殖区画を形成して、その内部に稚貝を収容したり、あるいは海中に浸漬される容器の上部開口を網で覆って、その内部に稚貝を収容したりして、上記稚貝に飼料を与えることが行なわれている。
【０００３】
【発明が解決しようとする課題】
ところで、前述のような海洋生物の養殖手段では、稚貝を収容する養殖区画が広すぎると、きめ細かな養殖管理が難しくなり、また稚貝を収納する容器を海中に多段状に設置する場合は、同容器の数が多くなると海中でのダイバーによる作業が多くなり、コストの大幅な増大を招くことになる。
そこで、本発明は、海上から稚貝などの海洋生物を収納する容器へのアクセスを簡便化して、その飼料供給などの養殖管理を低コストで的確に行なえるようにした海洋生物養殖装置を提供することを課題とする。
【０００４】
【課題を解決するための手段】
前述の課題を解決するため、本発明の海洋生物養殖装置は、洋上に並列状に浮かぶ複数の浮体と、これらの浮体の上部を相互に連結する連結構造体と、同連結構造体の下方の海中で上記複数の浮体の相互間に水平に架設され同浮体内の動力機構により回転駆動される駆動軸と、上記複数の浮体からそれぞれ下方へ延在する支持部材の相互間に上記駆動軸と平行に架設された従動軸と、上記駆動軸に装着された複数の駆動輪と、同駆動輪と対応するように上記従動軸に装着された複数の従動輪と、上記複数の駆動輪と同駆動輪に対応する上記従動輪との間にそれぞれ掛け回された複数の無端条体と、これらの無端条体の相互間に水平に装着された多数の支持棒からそれぞれ吊り下げられた海洋生物養殖用容器とをそなえ、上記駆動輪の回転駆動により最上部へ到達した上記容器への連絡を行なうための連絡部が上記連結構造体に設けられていることを特徴としている。
【０００５】
上述の本発明の海洋生物養殖装置では、複数の無端条体の相互間に水平に装着された多数の支持棒からそれぞれ吊り下げられた海洋生物養殖用容器が、上記駆動輪の緩やかな回動に伴い海中で順次昇降するので、海洋生物の養殖が効率よく適切に行なわれるほか、同容器が海面近くまで上昇した際に、上記浮体の相互間を連結した連結構造体における連絡部から同容器に容易に連絡できるようになり、これにより多数の海洋生物養殖用容器における稚貝などの海洋生物の生育状況の観察や、同生物への飼料の補充，配分などの操作を含む養殖管理が、順次能率よく簡便に且つ的確に行なわれるようになる。
【０００６】
また、上記浮体としては廃船などを利用することができ、さらに同浮体に水ジェット推進装置のごとき簡便な推進手段を設ければ、その移動も容易に行なえるようになる。
【０００７】
また、本発明の海洋生物養殖装置は、上記海洋生物養殖用容器に、稚貝を収容する生物区画部と、同稚貝のための飼料を収容する飼料区画部とが設けられていることを特徴としている。
【０００８】
上述の海洋生物養殖装置では、稚貝がウニやアワビのごとき夜行性の生物の場合、昼間は上記海洋生物養殖用容器における生物区画部に潜んでおり、夜間は上記容器における飼料区画部に進出して飼料を摂取した後、また生物区画部に戻るので、その養殖管理が容易になる利点が得られる。
【０００９】
さらに、本発明の海洋生物養殖装置は、上記飼料が海草の粉末と小麦粉との混合物に成長剤としての酵素を添加してブロック状に形成されていることを特徴としている。
【００１０】
上述のように、稚貝のための飼料としてコンブやワカメあるいはヒジキのごとき海草の粉末と小麦粉との混合物に成長剤としての酵素を添加してブロック状に形成したものを用いると、稚貝の成育が促進されるほか、飼料の取扱いが容易になり、また前記連結構造体における連絡部から上記海洋生物用容器の飼料区画部への飼料の補充が容易となって、コンベアなどにより自動的に飼料を補充する手段の実現も可能になる。
【００１１】
【発明の実施の形態】
以下、図面により本発明の一実施形態としての海洋生物養殖装置について説明すると、図１はその斜視図であり、図２は図１の海洋生物養殖装置の変形例を示す正面図である。
【００１２】
本発明の実施形態では、図１に示すように、海面Ｗを貫通して並列状に浮遊する左右一対の浮体１，１の各上部が、海面Ｗよりも上方で相互に連結構造体２によって剛固に連結されている。
【００１３】
そして、連結構造体２の下方の海中で左右の浮体１，１の相互間に図示しないベアリングを介して水平に架け渡された駆動軸３が、浮体１内の図示しない動力機構により緩やかに回転駆動されるように設けられており、同駆動軸３には左右一対の駆動輪３ａ，３ａが同軸的に固着されている。
【００１４】
また左右の浮体１，１からそれぞれ下方へ延在する支持部材１ａ，１ａの下部の相互間に、駆動軸３と平行に架け渡された従動軸４が、図示しないベアリングを介し回転可能に設けられており、同従動軸４には左右一対の従動輪４ａ，４ａが同軸的に固着されている。
【００１５】
このようにして、上下に対をなす駆動輪３ａと従動輪４ａとの間には、ベルトあるいはチェーンのごとき無端条体５が掛け回されて、駆動輪３ａの回転駆動に伴い、左右に対をなす無端条体５，５が緩やかに回動するようになっている。
【００１６】
さらに、左右の無端条体５，５の相互間には、同条体５，５を連結するようにして水平に装着されている多数の支持棒６からそれぞれ吊り下げられた海洋生物養殖用容器７が設けられている。
そして、駆動輪３ａの回動に伴い最上方へ順次到達する容器７への連絡を行なうためのハッチのごとき連絡部２ａが、連結構造体２の下部に設けられている。
【００１７】
各容器７の内部には、ウニやアワビなどの稚貝を収容する生物区画部と、同稚貝のための飼料を収容する飼料区画部とが設けられており、上記飼料としては、コンブやワカメあるいはヒジキのごとき海草の粉末と小麦粉との混合物に、成長剤としての酵素を添加してブロック状に練り固めたものが用いられ、必要に応じアルギン酸などが添加される。
【００１８】
なお、駆動輪３ａや従動輪４ａとして歯車状のものが用いられる場合は、無端条体５として歯付きベルトが用いられ、また駆動輪３ａおよび従動輪４ａとしてスプロケットホイールが用いられる場合は、無端条体５としてチェーンが掛け回されるようになる。
また浮体１は、その下部の支持部材１ａを介して、係留索８により海底のシンカーに係留される。
【００１９】
上述の本実施形態の海洋生物養殖装置では、複数の無端条体５，５の相互間に水平に装着された多数の支持棒６からそれぞれ吊り下げられる海洋生物養殖用容器７が、駆動輪３ａの緩やかな回動に伴い海中で順次昇降するので、海洋生物の養殖が効率よく適切に行なわれるほか、同容器７が海面近くまで上昇した際に、浮体１，１の相互間を連結した連結構造体２における連絡部２ａから同容器７に容易に連絡できるようになり、これにより多数の海洋生物養殖用容器７における稚貝などの海洋生物の生育状況の観察や、同生物への飼料の補充，配分などの操作を含む養殖管理が、順次能率よく簡便に且つ的確に行なわれるようになる。
【００２０】
また、浮体１としては、図２の変形例に示すように、廃船などを利用することができ、さらに同浮体１に水ジェット推進装置のごとき簡便な推進手段を設ければ、その移動も容易に行なえるようになる。
【００２１】
なお、図２において図１と同じ符号はほぼ同様の部材を示しており、新たな符号２ｂは回動軸３を支持すべく連結構造体２から垂下された軸受構造体を示している。
【００２２】
また、海洋生物養殖用容器７に、稚貝を収容する生物区画部と、同稚貝のための飼料を収容する飼料区画部とが設けられていると、稚貝がウニやアワビのごとき夜行性の生物の場合、昼間は海洋生物養殖用容器７における生物区画部に潜んでおり、夜間は容器７における飼料区画部に進出して飼料を摂取した後、再び生物区画部に戻るので、その養殖管理が容易になる利点が得られる。
【００２３】
さらに、稚貝のための飼料としてコンブやワカメあるいはヒジキのごとき海草の粉末と小麦粉との混合物に成長剤としての酵素を添加してブロック状に形成したものを用いると、稚貝の成育が促進されるほか、飼料の取扱いが容易になり、また連結構造体２における連絡部２ａから海洋生物用容器７の飼料区画部への飼料の補充が容易となって、コンベアなどにより自動的に飼料を補充する手段の実現も可能になる。
【００２４】
【発明の効果】
以上詳述したように、本発明の海洋生物養殖装置によれば次のような効果が得られる。
(1) 複数の無端条体の相互間に水平に装着された多数の支持棒からそれぞれ吊り下げられた海洋生物養殖用容器が、上記駆動輪の緩やかな回動に伴い海中で順次昇降するので、海洋生物の養殖が効率よく適切に行なわれるほか、同容器が海面近くまで上昇した際に、上記浮体の相互間を連結した連結構造体における連絡部から同容器に容易に連絡できるようになり、これにより多数の海洋生物養殖用容器における稚貝などの海洋生物の生育状況の観察や、同生物への飼料の補充，配分などの操作を含む養殖管理が、順次能率よく簡便に且つ的確に行なわれるようになる。また、上記浮体としては廃船などを利用することができ、さらに同浮体に水ジェット推進装置のごとき簡便な推進手段を設ければ、その移動も容易に行なえるようになる。
(2) 海洋生物としての稚貝がウニやアワビのごとき夜行性の生物の場合、昼間は上記海洋生物養殖用容器における生物区画部に潜んでおり、夜間は上記容器における飼料区画部に進出して飼料を摂取した後、また生物区画部に戻るので、その養殖管理が容易になる利点が得られる。
(3) 海洋生物のための飼料としてコンブやワカメあるいはヒジキのごとき海草の粉末と小麦粉との混合物に成長剤としての酵素を添加してブロック状に形成したものを用いると、稚貝などの成育が促進されるほか、飼料の取扱いが容易になり、また前記連結構造体における連絡部から上記海洋生物用容器の飼料区画部への飼料の補充が容易となって、コンベアなどにより自動的に飼料を補充する手段の実現も可能になる。
【図面の簡単な説明】
【図１】本発明の一実施形態としての海洋生物養殖装置を示す斜視図である。
【図２】図１の海洋生物養殖装置の変形例を示す正面図である。
【符号の説明】
１  浮体
１ａ  支持部材
２  連結構造体
２ａ  連絡部
２ｂ  軸受構造体
３  駆動軸
３ａ  駆動輪
４  従動軸
４ａ  従動輪
５  無端条体
６  支持棒
７  海洋生物養殖用容器
８  係留索
Ｗ  海面
【図１】
0003979746.tif 000002
【図２】
0003979746.tif 000003